【手続補正書】
【提出日】平成25年10月9日(2013.10.9)
【手続補正１】
【補正対象書類名】特許請求の範囲
【補正対象項目名】全文
【補正方法】変更
【補正の内容】
【特許請求の範囲】
【請求項１】
記録媒体を搬送する搬送機構と、
記録媒体に画像を形成する第１液体を吐出するための吐出口が形成された液体吐出ヘッドと、
記録媒体の搬送方向に関して前記液体吐出ヘッドよりも上流に配置され、前記第１液体と反応して前記第１液体中の成分を凝集又は析出させる第２液体を記録媒体に付与する第２液体付与手段と、
前記吐出口と対向する位置における記録媒体の詰まりを検出する検出手段と、
前記第１液体を前記吐出口から排出させる排出手段と、
前記排出手段を制御する制御手段とを備えており、
前記制御手段は、前記搬送機構により搬送される記録媒体に前記第２液体の付与及び前記第１液体による前記画像の記録がされるように前記搬送機構、前記第２液体付与手段及び前記液体吐出ヘッドを制御し、前記検出手段が前記記録媒体の詰まりを検出した直後に、記録媒体の搬送を停止させるように前記搬送機構を制御すると同時に、前記吐出口から前記第１液体が排出されるように前記排出手段を制御することを特徴とする液体吐出装置。
【請求項２】
前記排出手段が、前記吐出口に接続された液体流路に前記第１液体を強制的に供給することによって、前記吐出口から前記第１液体を排出させるポンプを含んでいることを特徴とする請求項１に記載の液体吐出装置。
【請求項３】
前記搬送機構の搬送面と前記吐出口との距離が変化するように、前記搬送機構と、前記液体吐出ヘッドとの少なくともいずれかを移動させる移動機構をさらに備えており、
前記制御手段は、前記検出手段が前記記録媒体の詰まりを検出した直後から、前記移動機構が前記搬送面と前記吐出口との距離を所定値以上とするまで、前記吐出口から前記第１液体が排出され続けるように、前記排出手段を制御することを特徴とする請求項１又は２に記載の液体吐出装置。
【請求項４】
前記制御手段は、前記検出手段が前記記録媒体の詰まりを検出するまでに前記第２液体付与手段により記録媒体に付与された前記第２液体の量が多くなるに連れて、前記吐出口から排出する前記第１液体の量が多くなるように、前記排出手段を制御することを特徴とする請求項１〜３のいずれか１項に記載の液体吐出装置。
【請求項５】
前記吐出口を払拭するワイパを有するワイプ機構と、
前記搬送機構の搬送面をクリーニングするクリーニング機構とをさらに備えており、
前記記録媒体の詰まりが解除された後に、前記ワイプ機構による前記吐出口の払拭と、前記クリーニング機構による前記搬送面のクリーニングとが同時に行われることを特徴とする請求項１〜４のいずれか１項に記載の液体吐出装置。
【請求項６】
記録媒体に記録された画像を読み取る画像センサと、
前記記録媒体の詰まりが解除された後に、全ての前記吐出口から前記第１液体の液滴を吐出させることによって記録媒体にテストパターンが記録されるように前記液体吐出ヘッドを制御するテストパターン制御手段と、
前記テストパターン制御手段が記録媒体に前記テストパターンを記録させたときの前記画像センサの読み取り結果から、各前記吐出口から液滴が吐出されたか否かを判断する判断手段とをさらに備えていることを特徴とする請求項１〜５のいずれか１項に記載の液体吐出装置。
【請求項７】
前記搬送方向に配列された複数の前記液体吐出ヘッドを備えており、
前記検出手段が、前記液体吐出ヘッドの前記搬送方向に関する下流側にそれぞれ配置され、記録媒体の有無を検知する複数の記録媒体センサを有しており、
前記検出手段は、前記複数の記録媒体センサの検知結果から、詰まった記録媒体が対向している前記液体吐出ヘッドを特定し、
前記制御手段は、前記検出手段が前記記録媒体の詰まりを検出した直後に、記録媒体の搬送を停止させるように前記搬送機構を制御すると同時に、前記検出手段が特定した前記液体吐出ヘッドの前記吐出口から前記第１液体が排出されるように前記排出手段を制御することを特徴とする請求項１〜６のいずれか１項に記載の液体吐出装置。
【請求項８】
前記制御手段は、前記搬送方向に関する前記第２液体付与手段と前記検出手段が特定した前記液体吐出ヘッドまでの距離が短くなるに連れて、前記検出手段が特定した当該液体吐出ヘッドに係る前記吐出口から排出する前記第１液体の量が多くなるように、前記排出手段を制御することを特徴とする請求項７に記載の液体吐出装置。
【請求項９】
前記検出手段が、前記搬送方向に関して、前記第２液体付与手段の上流側及び前記液体吐出ヘッドの下流側にそれぞれ配置された記録媒体の有無を検知する２つの記録媒体センサを有しており、
前記制御手段は、前記検出手段が前記記録媒体の詰まりを検出した直後に、記録媒体の搬送を停止させるように前記搬送機構を制御すると同時に、全ての前記液体吐出ヘッドの前記吐出口から前記第１液体が排出されるように前記排出手段を制御することを特徴とする請求項１〜６のいずれか１項に記載の液体吐出装置。
【手続補正２】
【補正対象書類名】明細書
【補正対象項目名】０００６
【補正方法】変更
【補正の内容】
【０００６】
本発明の液体吐出装置は、記録媒体を搬送する搬送機構と、記録媒体に画像を形成する第１液体を吐出するための吐出口が形成された液体吐出ヘッドと、記録媒体の搬送方向に関して前記液体吐出ヘッドよりも上流に配置され、前記第１液体と反応して前記第１液体中の成分を凝集又は析出させる第２液体を記録媒体に付与する第２液体付与手段と、前記吐出口と対向する位置における記録媒体の詰まりを検出する検出手段と、前記第１液体を前記吐出口から排出させる排出手段と、前記排出手段を制御する制御手段とを備えている。前記制御手段は、前記搬送機構により搬送される記録媒体に前記第２液体の付与及び前
記第１液体による前記画像の記録がされるように前記搬送機構、前記第２液体付与手段及び前記液体吐出ヘッドを制御し、前記検出手段が前記記録媒体の詰まりを検出した直後に、記録媒体の搬送を停止させるように前記搬送機構を制御すると同時に、前記吐出口から前記第１液体が排出されるように前記排出手段を制御する。
【手続補正３】
【補正対象書類名】明細書
【補正対象項目名】００１３
【補正方法】変更
【補正の内容】
【００１３】
さらに、本発明においては、前記搬送方向に配列された複数の前記液体吐出ヘッドを備えており、前記検出手段が、前記液体吐出ヘッドの前記搬送方向に関する下流側にそれぞれ配置された記録媒体の有無を検知する複数の記録媒体センサを有しており、前記検出手段は、前記複数の記録媒体センサの検知結果から、詰まった記録媒体が対向している前記液体吐出ヘッドを特定し、前記制御手段は、前記検出手段が前記記録媒体の詰まりを検出した直後に、記録媒体の搬送を停止させるように前記搬送機構を制御すると同時に、前記検出手段が特定した前記液体吐出ヘッドの前記吐出口から前記第１液体が排出されるように前記排出手段を制御することが好ましい。これによると、詰まった記録媒体が対向している液体吐出ヘッドを容易に特定することができると共に、第１液体が無駄に排出されるのを抑制することができる。
【手続補正４】
【補正対象書類名】明細書
【補正対象項目名】００１５
【補正方法】変更
【補正の内容】
【００１５】
本発明においては、前記検出手段が、前記搬送方向に関して、前記第２液体付与手段の上流側及び前記液体吐出ヘッドの下流側にそれぞれ配置された記録媒体の有無を検知する２つの記録媒体センサを有しており、前記制御手段は、前記検出手段が前記記録媒体の詰まりを検出した直後に、記録媒体の搬送を停止させるように前記搬送機構を制御すると同時に、全ての前記液体吐出ヘッドの前記吐出口から前記第１液体が排出されるように前記排出手段を制御することが好ましい。これによると、２つの記録媒体センサにより、記録媒体の詰まりを効率よく検出することができる。また、記録媒体センサの数を少なくして低コスト化を図ることができる。